(57)【特許請求の範囲】
【請求項１】
実際に一つの収容空間に該当するキャビティが備えられるハウジングと、
前記キャビティ内で相互に所定間隔で配置され、下端が前記ハウジングの底面に固定され、上端が相互に対向するように設置され、相互間の複合的なカップリングにより共振信号を発生する複数の共振リブと、
を含むことを特徴とする多重モード共振器。
【請求項２】
前記複数の共振リブは、全体的にアーチ形状に曲げられる棒形状であることを特徴とする請求項１に記載の多重モード共振器。
【請求項３】
前記複数の共振リブの断面形状は実際に円形であることを特徴とする請求項２に記載の多重モード共振器。
【請求項４】
前記複数の共振リブの上端のうち少なくとも一部は切削される形態を有することを特徴とする請求項２に記載の多重モード共振器。
【請求項５】
前記複数の共振リブの下端は、輪形状を有する一つの連結用補助支持物により全体的に一体に連結されることを特徴とする請求項１に記載の多重モード共振器。
【請求項６】
複数の共振リブの下端は、前記ハウジングの下端面から伸びるように前記ハウジングと全体的に一体に連結され、前記ハウジングの下端面には前記複数の共振リブと一体型製造のための孔部分が形成され、前記孔部分を覆う栓を具備することを特徴とする請求項１に記載の多重モード共振器。
【請求項７】
前記複数の共振リブは３個、４個、又は６個であることを特徴とする請求項１乃至６のいずれか１項に記載の多重モード共振器。
【請求項８】
前記複数の共振リブの全体配置構造の中心部に、前記ハウジングの上端から貫通する方式で設置されるチューニングネジをさらに含むことを特徴とする請求項１乃至６のいずれか１項に記載の多重モード共振器。
【請求項９】
前記複数の共振リブのうち一対の共振リブと入出力信号をやりとりする入力及び出力プローブを含むことを特徴とする請求項１乃至６のいずれか１項に記載の多重モード共振器。
【請求項１０】
前記キャビティは、多面体形状であることを特徴とする請求項１乃至６のいずれか１項に記載の多重モード共振器。
【請求項１１】
前記複数の共振リブは等間隔で配置されることを特徴とする請求項１乃至６のいずれか１項に記載の多重モード共振器。
【請求項１２】
前記複数の共振リブの間に少なくとも一つの隔壁が設置されることを特徴とする請求項１乃至６のうちいずれか１項に記載の多重モード共振器。
【請求項１３】
前記複数の共振リブのうち少なくとも一つは異なる長さを有することを特徴とする請求項１乃至６のいずれか１項に記載の多重モード共振器。
【請求項１４】
前記複数の共振リブのうち少なくとも一つは前記下端から異なる高さを有することを特徴とする請求項１乃至６のいずれか１項に記載の多重モード共振器。
【発明の詳細な説明】
【技術分野】
【０００１】
本発明は無線周波数フィルタを実現する共振器に関するものであって、より詳細には複数の共振モードの共振周波数を出力する多重モード共振器に関する。
【背景技術】
【０００２】
無線周波数フィルタのような無線周波数装置は、通常、複数の共振器の連結構造で構成される。このような共振器は、等価電子回路としてインダクタ(Ｌ)とキャパシタ(Ｃ)の組み合わせにより特定の周波数で共振する回路素子であって、各共振器は、導体で取り囲まれる金属性の円筒又は直六面体のようなキャビティ(cavity）の内部で誘電体共振素子(Dielectric  Resonance  element：ＤＲ)又は金属共振素子が設置される構造を有する。それによって、各共振器は、該当キャビティ内に処理周波数帯域による固有周波数の電磁場のみが存在するようにして、超高周波の共振を可能にする構造を有する。通常、複数のキャビティごとに一つの共振段を形成し、複数の共振段が順次に接続される多段構造を有する。
【０００３】
図１は、従来の６ポール(pole)型帯域通過(bandpass)フィルタ１０の一例を示す。図１を参照すると、従来の一実施形態において、帯域通過フィルタ１０は、六面体の金属内部に所定の間隔で区画された、例えば、６個のキャビティを有するハウジング１１０を含み、各々のキャビティ内には６個の高いＱ値を有する誘電体又は金属共振素子１２２を保持用サポートを用いて固定させる構造からなる。さらに、帯域通過フィルタ１０は、ハウジング１１０の一側面に装着された入出力コネクタ１１１，１１３と、ハウジング１１０の開放面を遮蔽する蓋(cover)１６０を含む。ここで、ハウジング１１０の各キャビティは、それぞれの共振器間のカップリング量を調整するために所定サイズのウィンドウ１３１-１３５が形成された隔壁１３０により区分され、ハウジング１１０の内面は、電気的性能を安定化し、伝導性を最大にするために銀メッキ処理される。また、蓋１６０又はハウジング１１０を貫通してウィンドウ１３１-１３５内に挿入可能なカップリングネジ１７５は、カップリング量を微細調整するためにさらに備えられる。
【０００４】
各共振素子１２２は、底面で直立するように具備される保持用サポートにより支持され、チューニングネジ１７０は、周波数を調整するために蓋１６０を貫通してキャビティ内に挿入されるように各共振素子１２２の上面に設置され、これを調整して共振周波数に対する微細な調整を可能にする。
【０００５】
ハウジング１１０は、その一側に各々入出力コネクタ１１１，１１３を含み、これらは、各々入出力給電ライン(図示せず）に接続され、入力側給電ラインは、入力コネクタから入る信号を最初段の共振素子に配信し、出力側給電ラインは、最後段の共振素子からの信号を出力コネクタに配信する。
【０００６】
上記したようなキャビティ構造を有する無線周波数フィルタの一例が、本発明の出願人により先出願された韓国特許公開公報第１０-２００４-１０００８４号(名称“無線周波数フィルタ”、公開日：２００４年１２月２日、発明者：Ｊｏｎｇｋｙｕ  Ｐａｒｋ、Ｓａｎｇｓｉｋ  Ｐａｒｋ、及びＳｅｕｎｔａｅｋ  Ｃｈｕｎｇ）に開示されている。
【０００７】
しかしながら、従来の帯域通過フィルタ(又は帯域除去(rejection)フィルタ)において、複数のポールを有するフィルタの構成は、複数のキャビティと各共振素子１２２を結合するための結合手段が必須的に要求される。すなわち、従来のフィルタでは、一つの共振素子１２２が一つの共振モードのみを実現するので、複数のポールを有する多重モードフィルタを実現するためには複数の共振器を連結する構造が必要になる。その結果、多重モードフィルタを実現するために大きな空間が要求され、フィルタの大型化、重量化、及び製造コストの増加をもたらすという問題点があった。
【０００８】
このように、多重モード共振器構造を有するフィルタは、通信装備のうち最も大きな空間を占める装備の一つであり、このようなフィルタのサイズと重さを減少するために持続的で活発な研究がなされている。特に、最近移動通信市場ではより速い処理速度及び向上した品質に対応するために、各基地局は、小型(又は超小型)セルに進化する傾向にあるため、このような傾向に応じてフィルタの小型及び軽量化が一層重要に要求される。
【発明の概要】
【発明が解決しようとする課題】
【０００９】
したがって、上記した従来技術の問題点を解決するために、本発明の目的は、複数の同一モードの共振周波数を相互に良好に連結できる多重モード共振器を提供することにある。
【００１０】
本発明の他の目的は、小型化した多重モード共振器を提供することにある。
【００１１】
本発明のもう一つの目的は、軽量化した多重モード共振器を提供することにある。
【００１２】
また、本発明の目的は、製造コストを低減する多重モード共振器を提供することにある。
【００１３】
さらに、本発明の目的は、周波数チューニング作業を簡単で効率的に実行する多重モード共振器を提供することにある。
【課題を解決するための手段】
【００１４】
上記のような目的を達成するために、本発明の一態様によれば、実際に一つの収容空間に該当するキャビティが備えられるハウジングと、キャビティ内で相互に所定間隔で配置され、下端がハウジングの底面に固定され、上端が相互に対向するように設置され、相互間の複合的なカップリングにより共振信号を発生する複数の共振リブとを含む多重モード共振器が提供される。
【００１５】
複数の共振リブは全体的にアーチ形状に曲げられる棒形状であり、複数の共振リブの断面形状は実際に円形である。
【００１６】
複数の共振リブの上端のうち少なくとも一部は切削される形態を有する。
【００１７】
複数の共振リブの下端は、輪形状を有する一つの連結用補助支持物により全体的に一体に連結される。
【００１８】
複数の共振リブの下端は、ハウジングの下端面から伸びるようにハウジングと全体的に一体に連結される。
【発明の効果】
【００１９】
本発明による多重モード共振器は、一つの共振器に複数のモードで共振周波数を提供することができる。それによって、フィルタの小型化、軽量化、及び製造コストを低減することができる効果がある。特に、本発明の実施形態による多重モード共振器は、部品間組立公差がほぼ発生しないので、該当フィルタの周波数チューニング作業が一層簡単で効率的に行われることができる。
【図面の簡単な説明】
【００２０】
【図１】従来の６ポール型帯域通過フィルタの一例を示す分解斜視図である。
【図２Ａ】本発明の第１の実施形態による帯域通過フィルタに該当する多重モード共振器を示す構造図である。
【図２Ｂ】本発明の第１の実施形態による帯域通過フィルタに該当する多重モード共振器を示す構造図である。
【図２Ｃ】本発明の第１の実施形態による帯域通過フィルタに該当する多重モード共振器を示す構造図である。
【図３Ａ】本発明の第１の実施形態による帯域通過フィルタに該当する多重モード共振器の各々の多重モード共振特性を示す図である。
【図３Ｂ】本発明の第１の実施形態による帯域通過フィルタに該当する多重モード共振器の各々の多重モード共振特性を示す図である。
【図３Ｃ】本発明の第１の実施形態による帯域通過フィルタに該当する多重モード共振器の各々の多重モード共振特性を示す図である。
【図３Ｄ】本発明の第１の実施形態による帯域通過フィルタに該当する多重モード共振器の各々の多重モード共振特性を示す図である。
【図３Ｅ】本発明の第１の実施形態による帯域通過フィルタに該当する多重モード共振器の各々の多重モード共振特性を示す図である。
【図４】本発明の第１の実施形態による帯域通過フィルタに該当する多重モード共振器による周波数フィルタリング特性を示すグラフである。
【図５Ａ】本発明の第２の実施形態による帯域通過フィルタに該当する多重モード共振器を示す構造図である。
【図５Ｂ】本発明の第２の実施形態による帯域通過フィルタに該当する多重モード共振器を示す構造図である。
【図５Ｃ】本発明の第２の実施形態による帯域通過フィルタに該当する多重モード共振器を示す構造図である。
【図６Ａ】本発明の第３の実施形態による帯域通過フィルタに該当する多重モード共振器を示す構造図である。
【図６Ｂ】本発明の第３の実施形態による帯域通過フィルタに該当する多重モード共振器を示す構造図である。
【図６Ｃ】本発明の第３の実施形態による帯域通過フィルタに該当する多重モード共振器を示す構造図である。
【図６Ｄ】本発明の第３の実施形態による帯域通過フィルタに該当する多重モード共振器を示す構造図である。
【図７】本発明の第３の実施形態による帯域通過フィルタに該当する多重モード共振器の一つの変形構造に対する各々の多重モード共振特性を示す図である。
【図８】本発明の第３の実施形態による帯域通過フィルタに該当する多重モード共振器の他の変形構造に対する各々の多重モード共振特性を示す図である。
【図９】本発明の第３の実施形態による帯域通過フィルタに該当する多重モード共振器による周波数フィルタリング特性を示すグラフである。
【図１０Ａ】本発明の第３の実施形態による帯域通過フィルタに該当する多重モード共振器の他の変形を示す構造図である。
【図１０Ｂ】本発明の第３の実施形態による帯域通過フィルタに該当する多重モード共振器の他の変形を示す構造図である。
【図１０Ｃ】本発明の第３の実施形態による帯域通過フィルタに該当する多重モード共振器の他の変形を示す構造図である。
【図１０Ｄ】本発明の第３の実施形態による帯域通過フィルタに該当する多重モード共振器の他の変形を示す構造図である。
【図１１】図１０Ａ乃至図１０Ｄの多重モード共振器に対する各々の多重モード共振特性を示す図である。
【図１２】図１０Ａ乃至図１０Ｄの多重モード共振器による周波数フィルタリング特性を示すグラフである。
【図１３Ａ】本発明の第４の実施形態による帯域通過フィルタに該当する多重モード共振器を示す構造図である。
【図１３Ｂ】本発明の第４の実施形態による帯域通過フィルタに該当する多重モード共振器を示す構造図である。
【図１３Ｃ】本発明の第４の実施形態による帯域通過フィルタに該当する多重モード共振器を示す構造図である。
【図１３Ｄ】本発明の第４の実施形態による帯域通過フィルタに該当する多重モード共振器を示す構造図である。
【図１４Ａ】本発明の第４の実施形態による帯域通過フィルタに該当する多重モード共振器の一つの変形を示す構造図である。
【図１４Ｂ】本発明の第４の実施形態による帯域通過フィルタに該当する多重モード共振器の一つの変形を示す構造図である。
【図１４Ｃ】本発明の第４の実施形態による帯域通過フィルタに該当する多重モード共振器の一つの変形を示す構造図である。
【図１４Ｄ】本発明の第４の実施形態による帯域通過フィルタに該当する多重モード共振器の一つの変形を示す構造図である。
【図１５Ａ】本発明の第５の実施形態による帯域通過フィルタに該当する多重モード共振器を示す構造図である。
【図１５Ｂ】本発明の第５の実施形態による帯域通過フィルタに該当する多重モード共振器を示す構造図である。
【図１５Ｃ】本発明の第５の実施形態による帯域通過フィルタに該当する多重モード共振器を示す構造図である。
【図１５Ｄ】本発明の第５の実施形態による帯域通過フィルタに該当する多重モード共振器を示す構造図である。
【図１６Ａ】本発明の第６の実施形態による帯域通過フィルタに該当する多重モード共振器を示す構造図である。
【図１６Ｂ】本発明の第６の実施形態による帯域通過フィルタに該当する多重モード共振器を示す構造図である。
【図１６Ｃ】本発明の第６の実施形態による帯域通過フィルタに該当する多重モード共振器を示す構造図である。
【図１７】本発明の第６の実施形態による多重モード共振器に対する各々の多重モード共振特性を示す図である。
【図１８Ａ】本発明の第７の実施形態による帯域通過フィルタに該当する多重モード共振器を示す構造図である。
【図１８Ｂ】本発明の第７の実施形態による帯域通過フィルタに該当する多重モード共振器を示す構造図である。
【図１８Ｃ】本発明の第７の実施形態による帯域通過フィルタに該当する多重モード共振器を示す構造図である。
【発明を実施するための形態】
【００２１】
以下、本発明の望ましい実施形態を添付の図面を参照して詳細に説明する。
【００２２】
次の説明において、具体的な構成及び構成要素のような特定詳細は、ただ本発明の実施形態の全般的な理解を助けるために提供されるだけである。したがって、本発明の範囲及び趣旨を逸脱することなく、以下に説明される本発明の様々な変形及び変更が可能であることは、当該技術分野における通常の知識を持つ者には明らかである。
【００２３】
本発明は、複数の共振モードを提供する多重共振モードフィルタを提案する。従来では、例えば、４個の共振モードを提供するためには通常４個のキャビティと、各キャビティに一つずつの共振素子を具備することが一般的である。しかしながら、本発明による多重共振モードフィルタは、一つのキャビティで４個の共振モード(quadruple  mode)、又は５個の共振モードなどを提供することが可能である。
【００２４】
図２Ａ乃至図２Ｃは、本発明の第１の実施形態による帯域通過フィルタに該当する多重モード共振器の構造図である。図２Ａは一部分(共振棒部分)の透過斜視構造を、図２Ｂは平面構造を、及び図２Ｃは一側面構造を、各々示す。図２Ａ乃至図２Ｃに示す共振器は、通常のフィルタ構造のように、金属ハウジング(下蓋)により空間が形成されるキャビティ２００を含み、図２Ａ乃至図２Ｃでは、説明の便宜上、金属ハウジングの構造だけでなく、該当ハウジングの外部に形成される入出力コネクタに対する図示は省略する。
【００２５】
図２Ａ乃至図２Ｃを参照すると、本発明の第１の実施形態による多重モード共振器は、ハウジング(図示せず）の内部に実際に一つの収容空間が形成される四角箱又は四角箱形状と類似した形態のキャビティ２００を有する。もちろん、このようなキャビティ２００の構造は、上記のように四角箱形状以外にも多角柱形状又は円柱形状などの多様な構造を有することができる。
【００２６】
キャビティ２００内には、相互に所定の間隔で配置される複数の共振アーム(arm）が備えられる。複数の共振アームは、金属性材質で構成され、相互に等間隔で設置され得る。この場合、複数の共振アームは、各々対をなして一端が対向するように配列され、各対は、相互にクロスされるように配列され得る。より詳細に説明すれば、図２Ａ乃至図２Ｃの第１の実施形態のように、キャビティ２００内には、例えば、相互に隣接する共振アームは相互に直交する配置構造を有し、４個の共振アーム２１１，２１２，２１３，２１４は、各々分離されるように個別的に設置される。４個の共振アーム２１１−２１４、すなわち第１乃至第４の共振アーム２１１-２１４は、全体的に(平面的に)‘＋’形状を有するように配置され、すなわち、４個の共振アーム２１１-２１４の全体配置構造の中心は、キャビティ２００の中心部に該当する。４個の共振アーム２１１-２１４は、各々長手方向に長く形成される直六面体の棒形状で構成できる。また、４個の共振アーム２１１-２１４は、各々キャビティ２００の底面(ハウジングの内部下端面)から伸びる(又は底面に固定するように設置される)、例えば金属性材質で構成可能な円柱形状の第１乃至第４の共振脚(leg)２２１，２２２，２２３，２２４により各々固定するように設置される。
【００２７】
第１乃至第４の共振脚２２１-２２４は、キャビティ２００を形成するハウジングの下端面を形成する際に、例えばダイカスト工程を通じて下端面と一体型に製造され、その他にも各々別途に製造されて溶接又ははんだ付け、又はネジ結合のような方式でハウジングの下端面に固定するように付着される。同様に、第１乃至第４の共振アーム２１１-２１４は、各々第１乃至第４の共振脚２２１-２２４の形成時に一体に製造され、以外にも各々別途に製造されて各々第１乃至第４の共振脚２２１-２２４に固定するように付着される。
【００２８】
さらに、図２Ａ乃至図２Ｃに示す第１の実施形態において、４個の共振アーム２１１-２１４の全体配置構造の中心部、すなわち、キャビティ２００の中心部に従来のフィルタ構造で共振素子に類似した構造の共振棒２１５がさらに設置される。４個の共振アーム２１１-２１４と共振棒２１５は、相互に物理的に離隔されるように設置され、これら間の信号が相互に複合的にカップリングされるように相互に適切な離隔距離を有する。もちろん、この離隔距離の調整に従って相互に信号カップリングの量が調整される。このような４個の共振アーム２１１-２１４の全体構造は、従来の共振器が順次にカップリングされる構造とは異なり、４個の共振アーム２１１-２１４は、相互に複合的にカップリングされる。
【００２９】
上記した構造を有することによって、４個の共振アーム２１１-２１４と共振棒２１５の配置構造が該当キャビティ２００の中心部を中心として相互に直交する３つの軸、例えば、軸ｘ、ｙ、ｚ上に代入する場合、例えば、第１の共振アーム２１１及び第３の共振アーム２１３はｘ軸上に配置され、第２の共振アーム２１２及び第４の共振アーム２１４は、ｙ軸上に配置され、共振棒２１５はｚ軸上に配置されると見なされる。
【００３０】
一方、入力コネクタ(図示せず)及び出力コネクタ(図示せず)は、各々ｘ軸及びｙ軸の一極に形成され、ｘ軸の一極に形成される入力コネクタと連結するための入力プローブ２３１及びｙ軸の一極に形成される出力コネクタと連結するための出力プローブ２２３が具備され、入力プローブ２３１と出力プローブ２３２は、複数の共振アーム２１１-２１４のうちいずれか一対の共振アームと入出力信号をやりとりするように構成される。図２の一実施形態では、入力プローブ２３１と出力プローブ２３２は、各々第３の共振脚２２３及び第２の共振脚２２２と直間接的に連結され、入出力信号を配信することによって、第３の共振アーム２１３及び第２の共振アーム２１２と入出力信号をやりとりするように構成される。
【００３１】
上記した構造を有する共振器の多重モード共振特性は、図３Ａ乃至図３Ｅに示す。図３Ａは、共振構造の全体組み合わせ(カップリング)により形成される第１の共振モードの磁界(又は電界)を示し、図３Ｂは、例えば、第２及び第４の共振アーム２１２，２１４によりｙ軸の方向にドミナント(dominant)共振が形成される第２の共振モードの磁界(又は電界)を示し、図３Ｃは、例えば第１及び第３の共振アーム２１１，２１３によりｘ軸の方向にドミナント共振が形成される第３の共振モードの磁界(又は電界)を示し、図３Ｄは、第１乃至第４の共振アーム２１１-２１４の全体組み合わせにより形成される第４の共振モードの磁界(又は電界)を示し、図３Ｅは、例えば共振棒２１５によりｚ軸方向にドミナント共振が形成される第５の共振モードの磁界(又は電界)を示す。図３Ａ乃至図３Ｅの各々において、(ａ)はＥ-ｆｉｅｌｄ特性を示し、(ｂ)はＨ-ｆｉｅｌｄ特性を示す。
【００３２】
図４は、図２Ａ乃至図２Ｃの共振器による周波数フィルタリング特性の一例を示すグラフである。図４を参照すると、図３Ａ乃至図３Ｅに示すように、５個の多重モード特性に従って周波数フィルタリング特性が示されることがわかる。
【００３３】
このように、本発明の第１の実施形態による多重モード共振器は、一つのキャビティ２００で５個の共振モードを実現可能であり、このとき、本発明による構造の多重モード共振器は、同一のサイズの一般的な構造のＴＥＭ(Transverse Electric and Magnetic)モード共振器と比較する場合、Ｑ(Quality  factor)値が同一のサイズで約３０〜４０％改善された特性を有し、あるいは同一のＱ値を満たす場合には、共振器の物理的サイズは、一般的な構造に比べて約３０〜４０％縮小することができる。
【００３４】
一方、上記した本発明の第１の実施形態による構造において、第１乃至第４の共振アーム２１１-２１４の形態、長さ、及び幅の寸法変更と、第１乃至第４の共振脚２２１-２２４の長さ及び幅の寸法変更と、キャビティ２００の中心部を基準として第１乃至第４の共振脚２２１-２２４の配置距離の変更と、キャビティのサイズ及び高さの変更などを通じて、各々の共振モードの周波数が移動及び適切な周波数の共振モードの設定及び調整が可能になる。必要によって、４個又は３個の共振モードのみを有するように実現することも可能である。
【００３５】
図５Ａ乃至図５Ｃは、本発明の第２の実施形態による帯域通過フィルタに該当する多重モード共振器の構造図である。図５Ａは一部分の透過斜視構造を、図５Ｂは平面構造を、図５Ｃは一側面の構造を、各々示す。図５Ａ乃至図５Ｃでは、図２Ａ乃至図２Ｃに示すように、説明の便宜のためにキャビティ３００を形成するハウジング(図示せず)に対する図示を省略する。
【００３６】
図５Ａ乃至図５Ｃに示す本発明の第２の実施形態による共振器は、図２Ａ乃至図２Ｃに示した第１の実施形態の構造のように、実際に一つの収容空間に該当するキャビティ３００が備えられるハウジング(図示せず）と、キャビティ３００内で相互に所定間隔で配置され、相互の複合的なカップリングにより共振信号を発生する複数の共振アーム３１１，３１２，３１３と、複数の共振アーム３１１-３１３を各々支持する複数の共振脚３２１，３２２，３２３を具備する。
【００３７】
このような構造を有する第２の実施形態による共振器において、図２Ａ乃至図２Ｃに示す第１の実施形態の構造とは異なり、キャビティ３００は、例えば全体的に円柱状に形成される。また、複数の共振アーム３１１，３１２，３１３は、第１乃至第３の共振アーム３１１-３１３であって、総３個が相互に等間隔で配置される。すなわち、図３Ａ乃至図３Ｃの第２の実施形態に示すように、キャビティ２００内で棒形状の３個の共振アーム３１１-３１３は、一端がキャビティ３００の中心に向けるように置かれ、全体的に等間隔で配置される。これと対応して、複数の共振脚３２１-３２３は、第１乃至第３の共振脚３２１-３２３として、３個の共振脚３２１-３２３が各々第１乃至第３の共振アーム３１１-３１３を支持するように設置される。このとき、入力プローブ３３１と出力プローブ３３２は、各々第１の共振脚３２１及び第３の共振脚３２３と連結される。
【００３８】
また、図５Ａ乃至図５Ｃに示す第２の実施形態による共振器では、第１の実施形態の構造で共振棒が除去される(すなわち、共振棒を具備しない)構造を有する。このような図５Ａ乃至図５Ｃに示す第２の実施形態による共振器の構造は、第１の実施形態の構造と比較して、４個又は３個の共振モードを実現するのに適合し、十分に満足するほど多重モード特性が得られる。
【００３９】
図５Ａ乃至図５Ｃに示す第２の実施形態による共振器において、それぞれの長方形棒の形状の３個の共振アーム３１１-３１３の縁部分のうち少なくとも一部が面取り(chamfering)などの加工を通じて切削される形態を持ち、このような構造変更によりカップリング強さなどの特性が調整される。図５Ａ乃至図５Ｃの例では、３個の共振アーム３１１-３１３の相互に対向する端部の縁部分のうち各々２部分が切削された例を示す。このように、共振アームの縁が面取りのように切削される構造の変化を通じて、相互のカップリング強さ又はノッチ(notch)発生などを調整できる。
【００４０】
また、第２の実施形態による構造は、第１の実施形態の構造と比較し、第１乃至第３の共振脚３２１-３２３が相互に最大限離隔されるように設置される。すなわち、第１乃至第３の共振脚３２１-３２３は、キャビティ３００の中心部を基準として各々第１乃至第３の共振アーム３１１-３１３の外側部分と結合されて該当共振アームを支持するように設置される。
【００４１】
これによって、第１乃至第３の共振脚３２１-３２３が相互に一層離隔されるように設置される場合、第１乃至第３の共振レッグ３２１-３２３の全体的な構造の直径が大きくなることに類似した影響が発生し、処理周波数帯域が調整される影響を発生する。
【００４２】
また、第２の実施形態による構造は、位置Ｂのように、信号の入力と出力側との間だけでなく適した位置に隔壁又はチューニングネジを追加して設置できる。これは、各共振アーム間に攝動(perturbation）が発生し、それによって伝送零点(transmission  zero）の位置、ノッチ形成などを調整できる。
【００４３】
図２Ａ乃至図２Ｃ及び図５Ａ乃至図５Ｃに示すように、本発明の第１及び第２の実施形態による多重モード共振器が構成され、このような第１及び第２の実施形態の構造で多様な変形や変更及び応用が可能である。例えば、共振アーム２１１-２１４又は３１１-３１４は、同一の長さを有しない。例えば、任意の一対の長さが他の一対の長さと異なるように設定されてもよい。あるいは、その直径又は形状などでも一部差があり得る。このような構成は、伝送零点の位置に変化を与えるためのことであって、共振アームの間でカップリングされるフィールドの強さ及び方向を変化させてノッチポイントを調整するようになる。同様に、共振脚２２１-２２４又は３２１-３２３の直径、長さなどで相互に差があるように設計できる。この場合、該当共振脚により支持される共振アームとキャビティ２００又は３００との間隔を狭めたり広めたりすることによって、共振アームとキャビティとの間で発生するキャパシタンス成分の調整が可能であり得る。
【００４４】
さらに、以外にも、共振アーム２１１-２１４又は３１１-３１４の全体構造の中心部に、電気的にフローティング(floating)されるように設置され、共振アーム間の信号カップリング及びこれによる共振モード間のカップリング調整のために、例えば円柱、又はディスク形態の金属性カップリング構造物(図示せず）がさらに備えられる。このようなカップリング構造物は、該当カップリング構造物がない場合に比べて、カップリング共振アームの相互間のカップリングが一層よくなされるようにして、フィルタの全体的な帯域幅がより広くなる。カップリング構造物は、Ａｌ２Ｏ３及びテフロン（登録商標）のような材質の支持部材(図示せず)によりキャビティ内でハウジング又は蓋の内部面、又は隣接した共振アームに固定及び支持されるように設置され得る。
【００４５】
その他にも、共振アーム２１１-２１４又は３１１-３１４の全体構造の中心部に、ハウジングの上端で従来のように蓋などを貫通する方式で設置されるチューニングネジ(図示せず)を具備できる。このようなチューニングネジを用いて、共振アーム間の信号カップリング及びこれによる共振モード間のカップリング調整及び共振周波数チューニング作業が実行することができる。
【００４６】
また、第１の実施形態による共振器又は第２の実施形態による共振器は、二重に形成され得る。あるいは、第１及び第２の実施形態による共振器は、相互に結合される構造を有する。例えば、第１(又は第２)の実施形態による第１の共振器及び第２の共振器が形成され、第１の共振器の出力側と第２の共振器の入力側がカップリングウィンドウにより相互に連結するように構成できる。カップリングウィンドウで、カップリングがよくなされるように、例えばキャビティの底面(すなわち、ハウジングの内部下端面)から伸びるように形成される適した構造の伝導性カップリング構造物が追加に設置され得る。また、第１(又は第２)の実施形態による共振器の構造に一般的なシングルモード構造の共振器を結合することも可能である。
【００４７】
一方、図２Ａ乃至図２Ｃ及び図５Ａ乃至図５Ｃに示すような本発明の第１及び第２の実施形態による多重モード共振器の構成を説明すると、共振アーム２１１-２１４又は３１１-３１４間の精密な間隔設定がその特性で非常に重要な要素であることがわかる。しかしながら、第１及び第２の実施形態では、共振脚２２１-２２４又は３２１-３２３に共振アーム２１１-２１４又は３１１-３１４は、ネジ結合などにより固定されるように設置される構造を有するので、組立公差により共振アーム２１１-２１４又は３１１-３１４間の間隔が設計された寸法に比べて微細にねじるようになる。
【００４８】
このような組立公差が累積されて該当フィルタの特性に相当な影響を与えるようになり、このような組立公差は、該当フィルタが小さいサイズで実現する場合にフィルタリング特性により一層深刻な影響を起こす。したがって、該当フィルタを製造した以後、追加して周波数チューニング作業を必須に遂行しなければならない。周波数チューニング作業は、通常に、高コストのチューニング装備を用いて熟練された作業者による手作業で進行されるので、比較的多くの作業時間及びコストが要求される。それによって、本発明の他の実施形態では、部品間組立公差を減少させ、周波数チューニング作業が非常に簡単で効率的に実行され、さらに周波数チューニング作業が不要とする共振器の構造を提案する。
【００４９】
図６Ａ乃至図６Ｄは、本発明の第３の実施形態による帯域通過フィルタに該当する多重モード共振器の構造図である。図６Ａは斜視構造を、図６Ｂは平面構造を、図６Ｃは一側面の構造を、図６Ｄは背面構造を、各々示す。図６Ａ乃至図６Ｄに示す本発明の第３の実施形態による共振器は、通常のフィルタ構造のように、金属ハウジング(下蓋)により空間が形成されるキャビティ４００を具備する。図６Ａ乃至図６Ｄでは、説明の便宜上、金属ハウジングの構造だけでなく、該当ハウジングの外部に形成される入出力コネクタに対する図示を省略する。
【００５０】
図６Ａ乃至図６Ｄを参照すると、本発明の第３の実施形態による多重モード共振器は、図２Ａ乃至図２Ｃに示した第１の実施形態のように、四角箱形状に類似した形態のキャビティ４００を有する。このようなキャビティ４００の構造は、上記のように四角箱形態以外にも多角柱形態又は円柱形態など多様な構造を有することができる。
【００５１】
一方、図６Ａ乃至図６Ｄに示す本発明の第３の実施形態では、第１及び第２の実施形態で複数の共振アームと共振脚を設置する構造とは異なり、キャビティ４００内で相互に所定の間隔で配置され、下端がキャビティ４００の底面(すなわち、ハウジングの内部下端面)に固定され、上端が相互に対向するように設置され、相互間の複合的なカップリングにより共振信号を発生するアーチ(arch)形状の複数の(例えば、４個の)共振リブ(rib)４４１，４４２，４４３，４４４を含む。４個の共振リブ４４１-４４４、すなわち第１乃至第４の共振リブ４４１-４４４は、全体的に(平面的に)‘ｘ’字状を有するように配置できる。共振リブ４４１-４４４のアーチ形状は、例えば円弧の一部分の軌跡に沿って設計できる。
【００５２】
このとき、入力プローブ４３１と出力プローブ４３２は、各々第１の共振リブ４４１及び第４の共振リブ４４４と連結される。このような入力プローブ４３１と出力プローブ４３２が設置される位置も多重モード共振器の磁界(共振特性)に影響を与えることができる。それによって、多重モード共振器の使用条件によって入力プローブ４３１と出力プローブ４３２は、第１乃第４の共振リブ４４１-４４４のうち任意の位置に連結して構成できる。例えば、入力プローブ４３１は、第３の共振リブ４４３に連結して出力プローブ４３２は、第１の共振リブ４４１に連結するようにする。
【００５３】
共振リブ４４１-４４４は、各々第１及び第２の実施形態で複数の共振アームと共振脚を代替する構造であって、共振リブ４４１-４４４でキャビティ４００の底面(すなわち、ハウジングの内部下端面)に固定する部分は、第１及び第２の実施形態での共振脚の役割をし、相互に対向する部分は第１及び第２の実施形態での共振アームの役割をする。すなわち、共振リブ４４１-４４４は、各々第１及び第２の実施形態で複数の共振アームと共振脚が(組立公差を減少させるために)一体的に形成される構造であることがわかる。
【００５４】
しかしながら、この場合、共振リブ４４１-４４４は、第１及び第２の実施形態のように、共振アームに該当する部分と共振脚に該当する部分が相互に区分される形状を持たず、全体的にアーチ形状に曲がれた棒形状を有する。また、共振リブ４４１-４４４は、断面形状が実際に円形である。本発明では、このような形状の共振リブを通じても、該当フィルタが十分に満足するほどのフィルタリング特性を有することを発見した。この形状は、角のある部分をなくすことによって、信号(電流)の流れを改善してフィルタリング特性を向上させることができる。また、このような形状は、ダイカスト工程で該当共振リブを製造する場合に抜き勾配(draft  angle)形状が不要であり、製品の縁部分にＲ(Round)処理が必要でない最適の構造であることがわかる。
【００５５】
上記した本発明の第３の実施形態による構造において、第１乃至第４の共振リブ４４１-４４４の形態、長さ、及び幅の寸法変更などを通して、各々の共振モードの周波数が移動及び適切な周波数の共振モードの設定及び調整が可能である。また、図６Ａ乃至図６Ｄでは、共振リブ４４１-４４４が相互に対向する(上端の)端部の縁部分のうち側面の一部が面取りのような加工を通じて切削された形態を有することを示し、このような構造変更によりカップリング強さ又はノッチ発生などが調整できる。
【００５６】
また、図６Ａ乃至図６Ｄにおいて、共振リブ４４１-４４４が相互に対向する端部、すなわち上端の端部の上部のうち一部が追加に切削された形態を有し、このような構造変更により該当共振リブとキャビティ４００との間隔及びカップリング面積を調整することによって、該当共振リブとキャビティとの間で発生するキャパシタンス成分を調整できる。このとき、図６Ａ乃至図６Ｄでは、第１及び第４の共振リブ４４１，４４４の上部切削部分に比べて、第２及び第３の共振リブ４４２，４４３の上部切削部分がより多く切削された状態を例として示す。
【００５７】
上記した構造を有する本発明の第３の実施形態による共振器の多重モード共振特性について図７及び図８を参照して説明する。図７は、本発明の第３の実施形態による帯域通過フィルタに該当する多重モード共振器の一変形構造に対する各々の多重モード共振特性の一例を示し、例えば、図６Ａ乃至図６Ｄに示す共振リブ４４１-４４４の切削部分がすべて同一の(相互に対称する)構造である場合の多重モード共振特性を示す。図７の(ａ)及び(ｂ）は、例えば、第１乃至第４の共振リブ４４１'-４４４'の全体組み合わせにより形成される第１及び第２の共振モードの磁界を示す。まず、図７の(ａ)では、第１の共振リブ４４１'と第３の共振リブ４４３'が対をなして同一の極性の磁界を発生し、第２の共振リブ４４２と第４の共振リブ４４４は、対をなして第１及び第３の共振リブ４４１'、４４３'とは異なる極性の磁界を発生する場合を示す。これらは、全体的に組み合わせられて(カップリングされて)一つの共振モードを形成し、この場合、４つのモードのうち相対的に最小Ｑ値を有することができる。図７の(ｂ)では、第１乃至第４の共振リブ４４１'-４４４'がすべて同一の極性の磁界を発生する場合を示し、これらが全体的に組み合わせられ一つの共振モードを形成し、このとき、４つのモードのうち最大Ｑ値を有することができる。
【００５８】
図７の(ｃ)及び(ｄ）は、例えば、各々第１及び第３の共振リブ４４１'、４４３'の対と第２及び第４の共振リブ４４２'-４４４'の対の組み合わせにより形成される第３及び第４の共振モードの磁界を示す。まず、図７の(ｃ)では、第１及び第３の共振リブ４４１'、４４３'が異なる極性の磁界を発生する場合、これらの組み合わせにより形成される共振モードを示す。この場合、共振モードは、図７の(ａ）の第１の共振モードよりは大きく、図７(ｂ）の第２の共振モードよりは小さい中間サイズのＱ値を有することができる。図７の(ｄ)で、第２及び第４の共振リブ４４２'、４４４'が各々異なる極性の磁界を発生する場合、これらの組み合わせにより形成される共振モードを示す。この場合、共振モードは、図７の(ｃ)に類似したＱ値を有することができる。
【００５９】
図７の(ａ)乃至(ｄ)のように、対称形共振リブの間で多様な磁界分布が示すことは、物理的な設定値を変化させて磁界の強度と方向を変化させることによって可能になる。
【００６０】
図８は、本発明の第３の実施形態による帯域通過フィルタに該当する多重モード共振器の他の変形構造に対する各々の多重モード共振特性を示す。これは、例えば、図６Ａ乃至図６Ｄに示す共振リブ４４１-４４４の切削部分が相互に非対称構造である場合の多重モード共振特性を示す。すなわち、図８では、例えば、第１及び第３の共振リブ４４１、４４３の上部の切削部分に比べて、第２及び第４の共振リブ４４２，４４４の上部切削部分がより多く切削された状態の共振モード特性を示す。
【００６１】
図８の(ａ)及び(ｂ）は、例えば、第２及び第４の共振リブ４４２"-４４４"の対の組み合わせにより形成される第１及び第２の共振モードの磁界を示す。図８の(ａ)では、第２及び第４の共振リブ４４２"、４４４"が同一の極性の磁界を発生する場合、これらの組み合わせにより形成される共振モードを示す。図８の(ｂ)では、第２及び第４の共振リブ４４２"、４４４"が相互に異なる極性の磁界を発生する場合に、これらの組み合わせにより形成される共振モードを示す。
【００６２】
図８の(ｃ)及び(ｄ）は、例えば、第１及び第３の共振リブ４４１"-４４２"の対の組み合わせにより形成される第１及び第３の共振モードの磁界を示す。図８の(ｃ)では、第１及び第３の共振リブ４４１"、４４３"が同一の極性の磁界を発生する場合、これらの組み合わせにより形成される共振モードを示す。図８の(ｄ)では、第１及び第３の共振リブ４４１"、４４３"が相互に異なる極性の磁界を発生する場合、これらの組み合わせにより形成される共振モードを示す。
【００６３】
図９は、本発明の第３の実施形態による帯域通過フィルタに該当する多重モード共振器による周波数フィルタリング特性を示すグラフである。図９を参照すると、図７の(ａ)乃至(ｄ)又は図８の(ａ)乃至(ｄ)に示すように、４個の多重モード特性によって周波数フィルタリング特性が現れることがわかる。
【００６４】
図１０Ａ乃至図１０Ｄは、本発明の第３の実施形態による帯域通過フィルタに該当する多重モード共振器の他の変形構造図である。図１０Ａは斜視構造を、図１０Ｂは平面構造を、図１０Ｃは一側面構造を、図１０Ｄは背面構造を各々示す。図１０Ａ乃至図１０Ｄに示す本発明の第３の実施形態による共振器の他の変形構造は、図６Ａ乃至図６Ｄに示すように、金属ハウジングにより空間が形成されるキャビティ４００を具備する。また、キャビティ４００内で相互に所定の間隔で配置され、アーチ形態の４個の(第１乃至第４)共振リブ４７１，４７２，４７３，４７４を具備する。また、入力プローブ４３１と出力プローブ４３２は、各々第１の共振リブ４７１及び第４の共振リブ４７４と連結する。
【００６５】
一方、図１０Ａ乃至図１０Ｄに示す共振器で、共振リブ４７１-４７４は、すべて同一の(又は対称的な)形態及びサイズを持たずに若干の差を持つように(すなわち、非対称的に)設計され、上端の切削部分も差を有するように設計される。また、相互の設置間隔も微細な差を有するように設計してもよい。このような構成を通じて、共振モードの位置を適切に変更調整でき、これによってクロスカップリングの形態が変更されて伝送零点の位置を変化させ得る。
【００６６】
図１０Ａ乃至図１０Ｄに示す例では、例えば、第２及び第４の共振リブ４７２、４７４は、相互に同一の形態及びサイズを有するが、第１及び第３の共振リブ４７１、４７３は、これに比べて長い長さ(又は、より高い高さ)を有し、特に第１の共振リブ４７１は、最も長い長さ(又は、最も高い高さ)を有する。例えば、共振リブ４７１-４７４のアーチ形状円弧の一部分の軌跡に沿って設計される場合、第１の共振リブ４７１は、その円弧の角度が異なる共振リブ４７２-４７４に比べて大きく設計され得る。また、このとき、第１の共振リブ４７１は、残りの共振リブに比べてその上端の上部の切削部分が最も小さく形成される。図１１は、図１０Ａ乃至図１０Ｄに示す多重モード共振器に対する各々の多重モード共振特性を示し、図１１の(ａ)乃至(ｄ)では、各々、共振リブ４７１-４７４の全体又は一部選択された対の適切な組み合わせにより発生する磁界により形成される第１乃至第４の共振モードを示す。
【００６７】
図１２は、図１０Ａ乃至図１０Ｄの多重モード共振器による周波数フィルタリング特性を示すグラフである。図１２を参照すると、図１１の(ａ)乃至(ｄ)に示すように、４個の多重モード特性によって周波数フィルタリング特性が現れることがわかる。
【００６８】
一方、図６Ａ乃至図６Ｄに示すように本発明の第３の実施形態による多重モード共振器又はその変形例の構成において、４個の共振リブ４４１-４４４は、各々キャビティ４００の底面(ハウジングの内部下端面)に溶接又ははんだ付け又はネジ結合により固定されるように設置できる。このような共振リブ４４１-４４４の設置方式は共振リブ間の組立公差を発生するので、本発明の他の実施形態では、共振リブ４４１-４４４の組立公差を一層減少させる共振器構造を提案する。
【００６９】
図１３Ａ乃至図１３Ｄは、本発明の第４の実施形態による帯域通過フィルタに該当する多重モード共振器の構造図である。図１３Ａは斜視構造を、図１３Ｂは平面構造を、図１３Ｃは一側面構造を、図１３Ｄは背面構造を各々示す。図１３Ａ乃至図１３Ｄに示す本発明の第４の実施形態による共振器は、図６Ａ乃至図６Ｄに示す第３の実施形態のように、四角箱形態と類似した形態のキャビティ５００を持ち、またキャビティ５００内で相互間に所定間隔で配置され、下端がキャビティ５００の底面(ハウジングの内部下端面)に固定され、上端が相互に対向するように設置され、相互間の複合的なカップリングにより共振信号を発生するアーチ形状の４個の共振リブ５４１，５４２，５４３，５４４を具備する。
【００７０】
但し、本発明の第４の実施形態では、共振リブ５４１-５４４は、第３の実施形態とは異なり、その下端部が、例えば長方形輪形状を有する一つの連結用補助支持物５５０により全体的に一体に連結されるように製造される。すなわち、このような連結用補助支持物５５０とともに共振リブ５４１-５４４の全体構造は、例えば一回のダイカスト工程を通じて一体に製造できる。このような構造は、共振リブ５４１-５４４間の設置間隔などが設計状態(最適の状態）に固定されることによって、組立公差を減少させ得る。
【００７１】
図１４Ａ乃至図１４Ｄは、図１３Ａ乃至図１３Ｄに示す本発明の第４の実施形態による帯域通過フィルタに該当する多重モード共振器の一変形構造図である。図１４Ａは斜視構造を、図１４Ｂは平面構造を、図１４Ｃは一側面構造を、図１４Ｄは背面構造を、各々示す。図１４Ａ乃至図１４Ｄに示す本発明の第４の実施形態による共振器の変形構造は、共振リブ５４１-５４４の下端部を連結する補助支持物５６０が円形に形成されることのみに差があり、第４の実施形態の構造と同一の構造を有する。
【００７２】
一方、図１３Ａ乃至図１３Ｄ又は図１４Ａ乃至図１４Ｄに示すような本発明の第４の実施形態による多重モード共振器の構成で、４個の共振リブ５４１-５４４が補助支持物５５０又は５６０により一体型に製造された後、キャビティ５００の底面(ハウジングの下端面)に溶接やはんだ付け又はネジ結合により固定されるように設置できる。一方、このような共振リブ５４１-５４４の設置方式もハウジングとの組み立ての際に組立公差が発生するので、本発明の他の実施形態では、共振リブ５４１-５４４の組立公差を格段に縮小させることができる構造を提案する。
【００７３】
図１５Ａ乃至図１５Ｄは、本発明の第５の実施形態による帯域通過フィルタに該当する多重モード共振器の構造図である。図１５Ａ及び図１５Ｃは上部側斜視構造を、図１５Ｂ及び図１５Ｄは下部側斜視構造を示す。図１５Ｃ及び図１５Ｄは、栓(closure)６２０が除去された構造を示す。図１５Ａ乃至図１５Ｄに示す本発明の第５の実施形態による共振器は、図６Ａ乃至図６Ｄに示した第３の実施形態のように、ハウジング６００により四角箱形態と類似した形態のキャビティが形成され、ハウジング６００内で相互に所定の間隔で配置され、下端がハウジング６００に固定され、上端が相互に対向するように設置され、相互間の複合的なカップリングにより共振信号を発生するアーチ形態の４個の共振リブ６４１，６４２，６４３，６４４を具備する。
【００７４】
但し、本発明の第５の実施形態では、共振リブ６４１-６４４は、第３の実施形態とは異なり、その下端部がハウジング６００に底面から伸びるように、すなわちハウジング６００の製造時にハウジング６００と全体的に一体に連結されるように製造される。すなわち、このようなハウジング６００及び共振リブ５４１-５４４の全体構造は、例えば、一回のダイカスト工程を通じて一体型に製造できる。このとき、ダイカスト工程の際に、金型から製品(すなわち、ハウジング及びこれと一体型に形成される共振リブ）を分離可能なように、図１５Ｃ及び図１５ＤにＡで示すように、ハウジング６００の底面には適切な面積及び形状の孔部が形成される。以後、該当孔部はハウジング６００と同一の材質の栓６２０により覆われる。栓６２０は、ハウジング６００の孔部Ａに対応する形状を有し、溶接やはんだ付け又はネジ結合により孔部Ａに固定するように設置され得る。
【００７５】
一方、図１３Ａ乃至図１３Ｄ、図１４Ａ乃至図１４Ｄ及び図１５Ａ乃至図１５Ｄに示す本発明の第４又は第５の実施形態による共振器は、第３の実施形態の多様な変形例と同様に、共振リブの形態、長さ及び幅の寸法変更、あるいは設置間隔などの調整を通じて、それぞれの共振モードの周波数が移動及び適切な周波数の共振モードの設定及び調整が可能なように、多様な変形構造が適用されることはもちろんである。
【００７６】
図１６Ａ乃至図１６Ｃは、本発明の第６の実施形態による帯域通過フィルタに該当する多重モード共振器の構造図である。図１６Ａは斜視構造を、図１６Ｂは平面構造を、図１６Ｃは一側面の構造を、各々示す。図１６Ａ乃至図１６Ｃに示す本発明の第６の実施形態による共振器の構造は、図６Ａ乃至図６Ｄに示す第３の実施形態の構造と同様に、金属ハウジングにより空間が形成されるキャビティ７００を具備する。また、キャビティ４００内で相互に所定間隔で配置される複数の共振リブ７４１，７４２，７４３を具備する。
【００７７】
一方、図１６Ａ乃至図１６Ｃに示す第６の実施形態による共振器では、図６Ａ乃至図６Ｄに示す第３の実施形態の構造とは異なり、キャビティ７００が、例えば全体的に円柱形状に形成されることを示す。また、複数の共振リブ７４１-７４３は、第１乃至第３の共振リブ７４１-７４３であって、総３個が相互に等間隔で配置される。このような図１６Ａ乃至図１６Ｃに示す第６の実施形態による共振器の構造は、第４の実施形態の構造に比べ、３個の共振モードを実現するのに適合し、十分に満足するほどの多重モード特性が得られる。
【００７８】
図１７は、本発明の第６の実施形態による多重モード共振器に対する各々の多重モード共振特性を示す。図１７の(ａ)乃至(ｃ)では、各々、共振リブの全体又は一部選択された対の適切な組み合わせにより発生する磁界により形成される第１乃至第３の共振モードを示す。例えば、図１７の(ａ)では第１乃至第３の共振リブ７４１-７４３の全体組み合わせにより形成される第１の共振モードを示し、図１７の(ｂ)では第１及び第２の共振リブ７４１，７４２の対の組み合わせにより形成される第２の共振モードを示し、図１７の(ｃ)では第１及び第３の共振リブ７４１，７４３の組み合わせにより形成される第３の共振モードを示す。図１７に示すように、本発明の第６の実施形態による多重モード共振器は、３個の共振モードが発生することがわかる。
【００７９】
図１８Ａ乃至図１８Ｃは、本発明の第７の実施形態による帯域通過フィルタに該当する多重モード共振器の構造図である。図１８Ａは斜視構造を、図１８Ｂは平面構造を、図１８Ｃは一側面構造を、各々示す。図１８Ａ乃至図１８Ｃに示す本発明の第７の実施形態による共振器の構造は、図１６Ａ乃至図１６Ｃに示す第６の実施形態の構造のように、金属ハウジングにより空間が形成されるキャビティ８００と、キャビティ８００内で相互に所定間隔で配置される複数の共振リブ８４１，８４２，８４３，８４４，８４５，８４６を具備する。
【００８０】
一方、図１８Ａ乃至図１８Ｃに示す第７の実施形態による共振器では、複数の共振リブ８４１-８４６は、第１乃至第６の共振リブ８４１-８４６であって、総６個が相互に等間隔で配置される。このような図１８Ａ乃至図１８Ｃに示す第７の実施形態による共振器の構造は、６個の共振モードを実現するのに適合し、十分に満足するほどの多重モード特性が得られる。
【００８１】
一方、図１６Ａ乃至図１６Ｃ及び図１８Ａ乃至図１８Ｃに示す本発明の第６又は第７の実施形態による共振器は、第３の実施形態の多様な変形例のように、共振リブの形態、長さ及び幅の寸法の変更、又は設置間隔などの調整などを通じて、各々の共振モードの周波数が移動及び適切な周波数の共振モードの設定及び調整が可能なように、多様な変形構造が適用され得る。さらに、第４又は第５の実施形態のように、共振リブが相互に一体型に、又はハウジングと一体型に製造されることはもちろんである。特に、この場合、図１８Ａ乃至図１８Ｃに示す第７の実施形態による構造のような多くの数の共振リブを設置する場合にも、共振リブを一度のダイカスト工程を通じて一体型に形成することは、その製造工程で特別な追加作業を要求しないことがわかる。
【００８２】
上記のように、本発明の一実施形態による多重モード共振器が構成されることができる一方で、上記した本発明の説明では具体的な実施形態に関して説明したが多様な変形が本発明の範囲を逸脱することなく実施できる。例えば、上記の実施形態では複数の共振アーム又は共振リブが３個、４個、又は６個であることを例として説明したが、その他に多くの数の共振アームが一つのキャビティ内に設置されるように構成することもできる。
【００８３】
また、上記説明した多重モード共振器の構造を２個以上具備して、二重で重なるように連結でき、同一の方式で実施形態の構造を３個以上具備して３段以上に多重連結して希望する特性を得るようにフィルタ構造を設計できる。
【００８４】
さらに、第３乃至第４の実施形態の構造でも第１及び第２の実施形態又はその変形構造と同様に、隔壁又はカップリング構造物などがさらに具備され得る。また、第３乃至第４の実施形態の構造は、第１及び第２の実施形態の構造に比べて組立公差が小さい(又はほとんどない)構造であるが、より精密な周波数チューニングのために従来のフィルタ構造と類似するようにチューニングネジをさらに具備することもできる。
【００８５】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図１】
0006338771.tif 000002
【図２ａ】
0006338771.tif 000003
【図２ｂ】
0006338771.tif 000004
【図２ｃ】
0006338771.tif 000005
【図３ａ】
0006338771.tif 000006
【図３ｂ】
0006338771.tif 000007
【図３ｃ】
0006338771.tif 000008
【図３ｄ】
0006338771.tif 000009
【図３ｅ】
0006338771.tif 000010
【図４】
0006338771.tif 000011
【図５ａ】
0006338771.tif 000012
【図５ｂ】
0006338771.tif 000013
【図５ｃ】
0006338771.tif 000014
【図６ａ】
0006338771.tif 000015
【図６ｂ】
0006338771.tif 000016
【図６ｃ】
0006338771.tif 000017
【図６ｄ】
0006338771.tif 000018
【図７（ａ）】
0006338771.tif 000019
【図７（ｂ）】
0006338771.tif 000020
【図７（ｃ）】
0006338771.tif 000021
【図７（ｄ）】
0006338771.tif 000022
【図８（ａ）】
0006338771.tif 000023
【図８（ｂ）】
0006338771.tif 000024
【図８（ｃ）】
0006338771.tif 000025
【図８（ｄ）】
0006338771.tif 000026
【図９】
0006338771.tif 000027
【図１０ａ】
0006338771.tif 000028
【図１０ｂ】
0006338771.tif 000029
【図１０ｃ】
0006338771.tif 000030
【図１０ｄ】
0006338771.tif 000031
【図１１（ａ）】
0006338771.tif 000032
【図１１（ｂ）】
0006338771.tif 000033
【図１１（ｃ）】
0006338771.tif 000034
【図１１（ｄ）】
0006338771.tif 000035
【図１２】
0006338771.tif 000036
【図１３ａ】
0006338771.tif 000037
【図１３ｂ】
0006338771.tif 000038
【図１３ｃ】
0006338771.tif 000039
【図１３ｄ】
0006338771.tif 000040
【図１４ａ】
0006338771.tif 000041
【図１４ｂ】
0006338771.tif 000042
【図１４ｃ】
0006338771.tif 000043
【図１４ｄ】
0006338771.tif 000044
【図１５ａ】
0006338771.tif 000045
【図１５ｂ】
0006338771.tif 000046
【図１５ｃ】
0006338771.tif 000047
【図１５ｄ】
0006338771.tif 000048
【図１６ａ】
0006338771.tif 000049
【図１６ｂ】
0006338771.tif 000050
【図１６ｃ】
0006338771.tif 000051
【図１７（ａ）】
0006338771.tif 000052
【図１７（ｂ）】
0006338771.tif 000053
【図１７（ｃ）】
0006338771.tif 000054
【図１８ａ】
0006338771.tif 000055
【図１８ｂ】
0006338771.tif 000056
【図１８ｃ】
0006338771.tif 000057